(57)【要約】【課題】  中扉に垂れや歪が発生した場合にも、確実にネジ止めが可能であり、またアースも確実に行なうことができる中扉支持具を提供する。【解決手段】  本発明の中扉支持具は、上部にすり鉢状の凹部２を備えその上面で中扉６を支持する受け部材１の内部にナット部材８を遊嵌したもので、固定ネジ３で中扉６を固定する。中扉６が歪んでいてもナット部材８が動いて確実に螺合させることができる。ナット部材８の上部には導電部材１０の上部片１１が挿入され、固定ネジ３を締めたときにナット部材８が接触してボックス本体と導通を取ることができるので、確実にアースすることができる。【選択図】    図２
2006049400.tif 000002
【特許請求の範囲】
【請求項１】
上部に凹部を形成しその上面で金属製の中扉を支持する受け部材と、この受け部材の内部に回転できないように遊嵌されたナット部材と、前記凹部の中心孔を介してナット部材に螺合され受け部材との間で中扉を固定する固定ネジと、受け部材内のナット部材の上部に挿入され、固定ネジを締めたときにナット部材が接触してボックス本体と導通する導電部材とからなることを特徴とする中扉支持具。
【請求項２】
受け部材の底部に導電部材につながる底板部材を設けたことを特徴とする請求項１記載の中扉支持具。
【発明の詳細な説明】
【技術分野】
【０００１】
本発明は、配電盤などに設けられた金属製の中扉をネジ止めするために用いられる配電盤の中扉支持具の改良に関するものである。
【背景技術】
【０００２】
配電盤の中扉は、容易に着脱できるように摘み付きの固定ネジによりネジ止めされる場合があり、例えば特許文献１には片側を蝶番により支持された中扉の他端をネジ止めする樹脂製の中扉支持具が開示されている。特許文献１に示されるように、従来の中扉支持具は上部にすり鉢状の凹部を備えて固定ネジの先端をガイドし、下面に設けられた金属板のネジ孔に容易に螺合できるようになっている。金属板はボックス本体に接続され、アースされている。
【０００３】
上記の構造によれば、固定ネジが正しく金属板のネジ孔に螺合すると、金属製の固定ネジを介して中扉と金属板とが導通し、中扉をアースすることができる。しかし最近では中扉にも計器類を取付けるケースも多く、長期間使用するとその重みにより中扉に垂れや歪が発生し、すり鉢状の凹部によるガイドを利用しても固定ネジが正しく金属板のネジ孔に螺合できなくなる場合がある。その結果、中扉の固定が不十分となるばかりでなく、中扉のアースができないという危険があった。
【特許文献１】特開平８−６８２５４号公報
【発明の開示】
【発明が解決しようとする課題】
【０００４】
本発明は上記した従来の問題点を解決し、中扉に垂れや歪が発生した場合にも、確実にネジ止めが可能であり、またアースも確実に行なうことができる中扉支持具を提供するためになされたものである。
【課題を解決するための手段】
【０００５】
上記の課題を解決するためになされた本発明の中扉支持具は、上部に凹部を形成しその上面で金属製の中扉を支持する受け部材と、この受け部材の内部に回転できないように遊嵌されたナット部材と、前記凹部の中心孔を介してナット部材に螺合され受け部材との間で中扉を固定する固定ネジと、受け部材内のナット部材の上部に挿入され、固定ネジを締めたときにナット部材が接触してボックス本体と導通する導電部材とからなることを特徴とするものである。なお、受け部材の底部に導電部材につながる底板部材を設けた構造とすることが好ましい。
【発明の効果】
【０００６】
本発明の中扉支持具は、上部に凹部を形成した受け部材の内部にナット部材を僅かに動けるように遊嵌したものであるので、固定ネジ側に多少の位置ずれや傾斜があってもそれに合わせてナット部材の方が動いて確実に螺合させることができる。
【０００７】
しかも受け部材内のナット部材の上部には導電部材が挿入されているので、中扉を固定ネジで固定するために固定ネジを締め付けるとナット部材が上方に引き寄せられ、導電部材と強く接触しボックス本体と導通することとなる。このため中扉→固定ネジ→ナット部材→導電部材→ボックス本体の経路で中扉を確実にアースすることができる。
【発明を実施するための最良の形態】
【０００８】
以下に本発明の好ましい実施形態を示す。
図１は本発明の中扉支持具の実施形態を示す正面図、図２はその中央縦断面図、図３はその分解斜視図である。これらの図において、１は樹脂製の受け部材であり、その上部にすり鉢状の凹部２が形成されている。このすり鉢状の凹部２は固定ネジ３を凹部の中心孔４にガイドするためのものである。なお中心孔４は固定ネジ３のネジ部外径よりも大きく、ゆとりを持たせてある。受け部材１はすり鉢状の凹部２の上面５で金属製の中扉６を支持するための部材である。
【０００９】
図３に示されるように受け部材１は内部にナット保持部７を備えており、このナット保持部７内に金属製のナット部材８が回転できないように遊嵌されている。この実施形態ではナット部材８は四角ナットであるが六角ナット等でもよい。ナット部材８は上記の中心孔４のほぼ下方に位置するものであるが、ナット保持部７の内部で少しだけ移動しあるいは傾斜できるように、余裕を持たせて遊嵌されている。このため固定ネジ３に多少の位置ずれや傾斜があっても、それに合わせてナット部材８の方が動いて確実に螺合させることができるようになっている。なお、固定ネジ３は上部に樹脂製の摘み９を備えた金属製のネジであり、図２に示すように受け部材１の上面に支持された中扉６のネジ孔を通してナット部材８に螺合されるものである。
【００１０】
この受け部材１には、導電部材１０がはめ込まれている。この実施形態の導電部材１０は金属板を図２に示すようにコの字状に折り曲げて上部片１１、垂直片１２、下部片１３を一体に構成したうえ、さらにその両側に立ち上げ片１４，１４を直角に折り曲げ形成した形状である。図３に示されるように、上部片１１の中央には固定ネジ３を貫通させる貫通孔１５が設けられ、両側の立ち上げ片１４，１４には四角形の孔１６，１６が設けられている。
【００１１】
導電部材１０の上部片１１は図２に示すように受け部材１内のナット部材８の上部に挿入されている。このため、貫通孔１５を介して固定ネジ３をナット部材８に螺合させ締付けると、ナット部材８は上方に引き上げられて導電部材１０の上部片１１の裏面と強く接触し、電気的導通が得られる。また導電部材１０の下部片１３は受け部材１の底部に延び、底板部材として機能する。受け部材１の下部両側には先端を傾斜面とした弾性爪１７，１７が設けられており、受け部材１に導電部材１０をはめ込んだときにこれらの弾性爪１７，１７が両側の立ち上げ片１４，１４に形成された四角形の孔１６，１６に係合し、導電部材１０を受け部材１に分離しないように固定する。
【００１２】
導電部材１０の下部片１３はネジ等の適宜の固定手段２２によって支持脚１８に固定されている。支持脚１８の高さや形状は電気機器収納用ボックスの大きさや種類によって様々であり、図１、図２に示したような高さの低いものや、図４に示すように高さの高いものなど、任意である。図４に示す支持脚１８は図５、図６に示すように電気機器収納用ボックスの底部レール１９上に取り付けるに適したものであり、図１に示す支持脚１８は図７、図８に示すように電気機器収納用ボックスの扉開口部２０に取り付けるに適している。しかしこれらは使用例を示すに過ぎず、その配置は任意である。また導電部材１０と支持脚１８とを一体に形成してもよい。
【００１３】
このように構成された本発明の中扉支持具は例えば図６に示すように電気機器収納用ボックスの４箇所に支持脚１８によって固定され、中扉や外蓋などの中扉６をネジ止めするために用いられる。しかし片側の２箇所のみに配置し、反対側の２箇所は蝶番とすることも可能である。
【００１４】
使用の際には中扉６のネジ孔を通して固定ネジ３を受け部材１に押し込むと、固定ネジ３の先端はすり鉢状の凹部２にガイドされてその中心孔４に入り、導電部材１０の上部片１１に形成された貫通孔１５を通じてナット部材８に到達する。前記したようにナット部材８は受け部材１の内部に遊嵌されているので、固定ネジ３側に多少の位置ずれや傾斜があってもそれに合わせてナット部材８の方が動いて確実に螺合させることができる。従って中扉６が取り付けられた機器の重みなどによって垂れたり撓んだり歪んだりした場合にも、固定ネジ３を受け部材１に確実に固定することができ、図２に示すように中扉６を受け部材１の上面と固定ネジ３の座金２１との間に支持することができる。
【００１５】
また固定ネジ３をナット部材８に螺合させ締付けると、ナット部材８は上方に引き上げられて導電部材１０の上部片１１の裏面と密着する。このため、中扉６→固定ネジ３→ナット部材８→導電部材１０の経路で電気的導通が確保され、導電部材１０を支持脚１８等を介してボックス本体に接続しておけば、中扉６を確実にアースすることができる。
【００１６】
上記の使用法は支持脚１８の形状が異なる図７、図８に示す例でも同様である。このように本発明の中扉支持具を用いれば、中扉６に垂れや歪が発生した場合にも、確実にネジ止めが可能であり、またアースも確実に行なうことができる利点がある。
【図面の簡単な説明】
【００１７】
【図１】本発明の実施形態を示す正面図である。
【図２】本発明の実施形態を示す中央縦断面図である。
【図３】本発明の実施形態を示す分解斜視図である。
【図４】支持脚との他の組み合わせを示す斜視図である。
【図５】電気機器収納用ボックスへの組み込み例を示す断面図である。
【図６】電気機器収納用ボックスへの組み込み例を示す斜視図である。
【図７】電気機器収納用ボックスへの他の組み込み例を示す断面図である。
【図８】電気機器収納用ボックスへの他の組み込み例を示す斜視図である。
【符号の説明】
【００１８】
１  受け部材
２  すり鉢状の凹部
３  固定ネジ
４  中心孔
５  上面
６  中扉
７  ナット保持部
８  ナット部材
９  摘み
１０  導電部材
１１  上部片
１２  垂直片
１３  下部片
１４  立ち上げ片
１５  貫通孔
１６  孔
１７  弾性爪
１８  支持脚
１９  底部レール
２０  扉開口部
２１  座金
２２  固定手段
【図１】
2006049400.tif 000003
【図２】
2006049400.tif 000004
【図３】
2006049400.tif 000005
【図４】
2006049400.tif 000006
【図５】
2006049400.tif 000007
【図６】
2006049400.tif 000008
【図７】
2006049400.tif 000009
【図８】
2006049400.tif 000010